(57)【要約】【課題】電気刺激強度を変化させる操作を行なう際のユーザの利便性を向上させることが可能な電気治療器を提供する。【解決手段】電気治療器は、ユーザの身体の部位に接触される複数の電極と、部位に与えられる電気刺激強度を調整するための操作を受け付ける操作部と、操作に応じて、複数の電極への印加電圧を離散的に変化させることにより部位の治療を行なう電圧制御部とを備える。電圧制御部は、電気刺激強度が所定刺激強度に到達するまでは操作に応じて印加電圧を第１変化量で変化させ、電気刺激強度が所定刺激強度に到達した後は操作に応じて印加電圧を第１変化量よりも小さい第２変化量で変化させる。【選択図】図１
2019187505.tif 000002
【特許請求の範囲】
【請求項１】
ユーザの身体の部位に接触される複数の電極と、
前記部位に与えられる電気刺激強度を調整するための操作を受け付ける操作部と、
前記操作に応じて、前記複数の電極への印加電圧を離散的に変化させることにより前記部位の治療を行なう電圧制御部とを備え、
前記電圧制御部は、
前記電気刺激強度が所定刺激強度に到達するまでは前記操作に応じて前記印加電圧を第１変化量で変化させ、
前記電気刺激強度が前記所定刺激強度に到達した後は前記操作に応じて前記印加電圧を前記第１変化量よりも小さい第２変化量で変化させる、電気治療器。
【請求項２】
前記電圧制御部は、
前記電気刺激強度が前記所定刺激強度に到達するまでは、前記電気刺激強度を１段階上げる操作に応じて、前記印加電圧を前記第１変化量だけ増加させ、
前記電気刺激強度が前記所定刺激強度に到達した後は、前記電気刺激強度を１段階上げる操作に応じて、前記印加電圧を前記第２変化量だけ増加させる、請求項１に記載の電気治療器。
【請求項３】
前記所定刺激強度を設定するための設定部をさらに備える、請求項１または２に記載の電気治療器。
【請求項４】
前記電圧制御部は、前記電気刺激強度の最大強度に対応する前記印加電圧の電圧値と、前記所定刺激強度に対応する前記印加電圧の電圧値とに基づいて、前記第２変化量を算出する、請求項１〜３のいずれか１項に記載の電気治療器。
【請求項５】
前記電気治療器は、低周波治療器である、請求項１〜４のいずれか１項に記載の電気治療器。
【請求項６】
前記第１変化量は、前記低周波治療器に関する所定の規格に準拠するように設定される、請求項５に記載の電気治療器。
【請求項７】
ユーザの身体の部位に接触される複数の電極を有する電気治療器と、
前記電気治療器と無線通信可能に構成された端末装置とを備え、
前記端末装置は、前記部位に与えられる電気刺激強度を調整するための操作を受け付け、前記操作を示す信号を前記電気治療器に送信し、
前記電気治療器は、
前記操作に応じて、前記複数の電極への印加電圧を離散的に変化させることにより前記部位の治療を行なう電圧制御部を含み、
前記電圧制御部は、
前記電気刺激強度が所定刺激強度に到達するまでは前記操作に応じて前記印加電圧を第１変化量で変化させ、
前記電気刺激強度が前記所定刺激強度に到達した後は前記操作に応じて前記印加電圧を前記第１変化量よりも小さい第２変化量で変化させる、治療システム。
【発明の詳細な説明】
【技術分野】
【０００１】
本開示は、電気治療器、および治療システムに関する。
【背景技術】
【０００２】
従来、腹部や背中などの身体の表面に複数の電極を接触させ、電極を介して身体内部の筋肉に対して電気信号を出力し、電気的に刺激を与えるようにした電気治療器が知られている。
【０００３】
例えば、特開２００９−１１２８４２号公報（特許文献１）は、多チャンネル式低周波治療器を開示している。この低周波治療器は、出力調整手段を筋肉トレーニング用とリンパドレナージュ用の各モードの間で兼用しつつ、モード変更時における出力の再調整の手間を極力低減することを検討している。
【先行技術文献】
【特許文献】
【０００４】
【特許文献１】特開２００９−１１２８４２号公報
【発明の概要】
【発明が解決しようとする課題】
【０００５】
従来、電気治療器には、電気刺激の強さ（以下、「電気刺激強度」とも称する）を調整するためのボタン等の操作部が設けられており、ユーザは当該操作部を操作することで所望の電気刺激強度を設定することができる。また、１操作量あたりの電気刺激強度の増加量は、最小の刺激強度から最大の刺激強度まで一定である。そのため、例えば、膝等のように刺激に対して比較的鈍感な部位を刺激する場合には、毎回、ユーザは刺激を感じるまで電気刺激強度を上げる操作を何度も行なわなければならず煩雑である。
【０００６】
特許文献１では、例えば、操作部での操作量が同じであっても、リンパドレナージュモードから筋肉トレーニングモードに切換えられたときは、出力部からの出力の大きさが、切換前に比して自動的に大きく設定されることを開示している。しかしながら、特許文献１では、モードの切換前後で１操作量当たりの出力の大きさを変更しているに過ぎず、いずれのモードにおいても１操作量あたりの出力の大きさは、最小出力から最大出力まで一定であると考えられるため、上記課題を解決することはできない。
【０００７】
本開示のある局面における目的は、電気刺激強度を変化させる操作を行なう際のユーザの利便性を向上させることが可能な電気治療器、および治療システムを提供することである。
【課題を解決するための手段】
【０００８】
本開示の一例では、電気治療器は、ユーザの身体の部位に接触される複数の電極と、部位に与えられる電気刺激強度を調整するための操作を受け付ける操作部と、操作に応じて、複数の電極への印加電圧を離散的に変化させることにより部位の治療を行なう電圧制御部とを備える。電圧制御部は、電気刺激強度が所定刺激強度に到達するまでは操作に応じて印加電圧を第１変化量で変化させ、電気刺激強度が所定刺激強度に到達した後は操作に応じて印加電圧を第１変化量よりも小さい第２変化量で変化させる。
【０００９】
上記構成によれば、電気刺激強度を変化させる操作を行なう際のユーザの利便性を向上させることが可能となる。
【００１０】
本開示の他の例では、電圧制御部は、電気刺激強度が所定刺激強度に到達するまでは、電気刺激強度を１段階上げる操作に応じて、印加電圧を第１変化量だけ増加させ、電気刺激強度が所定刺激強度に到達した後は、電気刺激強度を１段階上げる操作に応じて、印加電圧を第２変化量だけ増加させる。
【００１１】
上記構成によれば、ユーザは、少ない操作回数で、電気刺激強度を刺激が比較的強い刺激強度へ増加させることができる。
【００１２】
本開示の他の例では、電気治療器は、所定刺激強度を設定するための設定部をさらに備える。
【００１３】
上記構成によれば、ユーザの好みに合わせて所定刺激強度を設定することができる。
本開示の他の例では、電圧制御部は、電気刺激強度の最大強度に対応する印加電圧の電圧値と、所定刺激強度に対応する印加電圧の電圧値とに基づいて、第２変化量を算出する。
【００１４】
上記構成によれば、電気刺激強度が所定刺激強度に到達した後の第２変化量を適切に設定することができる。
【００１５】
本開示の他の例では、電気治療器は、低周波治療器である。
上記構成によれば、ユーザはより適切な周波数範囲で治療を受けることができる。
【００１６】
本開示の他の例では、第１変化量は、低周波治療器に関する所定の規格に準拠するように設定される。
【００１７】
上記構成によれば、低周波治療器に関する所定の規格に準拠した電気治療器を提供することができる。
【発明の効果】
【００１８】
本開示によると、電気刺激強度を変化させる操作を行なう際のユーザの利便性を向上させることが可能となる。
【００１９】
本開示の他の例では、治療システムは、ユーザの身体の部位に接触される複数の電極を有する電気治療器と、電気治療器と無線通信可能に構成された端末装置とを備える。端末装置は、部位に与えられる電気刺激強度を調整するための操作を受け付け、操作を示す信号を電気治療器に送信する。電気治療器は、操作に応じて、複数の電極への印加電圧を離散的に変化させることにより部位の治療を行なう電圧制御部を含む。電圧制御部は、電気刺激強度が所定刺激強度に到達するまでは操作に応じて印加電圧を第１変化量で変化させ、電気刺激強度が所定刺激強度に到達した後は操作に応じて印加電圧を第１変化量よりも小さい第２変化量で変化させる。
【００２０】
上記構成によれば、電気刺激強度を変化させる操作を行なう際のユーザの利便性を向上させることが可能となる。
【図面の簡単な説明】
【００２１】
【図１】本実施の形態に従う電気治療器を示す図である。
【図２】実施の形態１に従う電気治療器の外観の一例を示す図である。
【図３】実施の形態１に従う電気治療器のハードウェア構成の一例を表わすブロック図である。
【図４】実施の形態１に従う電気治療器による電気刺激強度の増減方式の一例を示す図である。
【図５】実施の形態１に従う電気治療器による電気刺激強度の増減方式の他の例を示す図である。
【図６】実施の形態１に従う電気治療器の機能構成の一例を示すブロック図である。
【図７】実施の形態１に従う電気治療器の処理手順の一例を示すフローチャートである。
【図８】実施の形態２に従う治療システムの概略的な構成を示す図である。
【図９】実施の形態２に従う電気治療器の構成の一例を示す斜視図である。
【図１０】実施の形態２に従う電気治療器に備えられる本体部４をホルダ３およびパッド２から分離した状態を示す斜視図である。
【図１１】実施の形態２に従う端末装置のハードウェア構成の一例を表わすブロック図である。
【発明を実施するための形態】
【００２２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２３】
［適用例］
図１を参照して、本発明の適用例について説明する。図１は、本実施の形態に従う電気治療器２００を示す図である。
【００２４】
図１を参照して、電気治療器２００は、本体部である制御機器２０５と、治療部位（例えば、膝部）に貼り付けるための一対のパッド２７０とを含む。制御機器２０５とパッド２７０とは、コードにより電気的に接続される。サポータ４０は、ユーザの膝部全体を覆う膝用のサポータである。
【００２５】
電気治療器２００は、例えば、低周波パルス電流を供給することで、ユーザの膝の痛みの緩和、および肩凝りをほぐす等の治療を行なう低周波治療器である。低周波パルス電流の周波数は、例えば、１Ｈｚ〜１２００Ｈｚである。
【００２６】
パッド２７０は、シート状の形状を有し、ユーザの身体に取り付けられる。パッド２７０の一方の面（身体と接触しない面）には、他方の面（身体と接触する面）に形成されている電極（図示しない）に対応したプラグが設けられている。電極は、例えば、導電性のゲル状材料等により形成される。
【００２７】
制御機器２０５は、主な構成として、操作部３０２と、電圧制御部３０４とを含む。
操作部３０２は、ユーザから治療内容に関する各種指示を受け付ける。具体的には、操作部３０２は、ユーザから電気刺激強度の調整指示を受け付ける。電気刺激強度は、複数の段階で設定可能である。本実施の形態では、例えば、電気刺激強度は、最小強度のレベル「１」から最大強度のレベル「２０」までの２０段階で設定可能であるとする。ユーザは、操作部３０２を用いて、電気刺激強度のレベルを増減することにより所望の電気刺激強度を設定することができる。
【００２８】
電圧制御部３０４は、操作部３０２を介した電気刺激強度の調整指示に応じて、一対のパッド２７０に設けられた電極への印加電圧を離散的に変化させる。すなわち、電圧制御部３０４は、電気刺激強度が１段階増減するごとに、印加電圧の電圧値を離散的に増減させる。
【００２９】
このように、電気刺激強度を離散的に調整する低周波治療器では、所定の規格により、治療開始時に急に強い刺激が与えられないように最小出力値が規定されており、操作に応じて急に刺激が強くならないように１増加量当たりの出力増加量が規定されている。
【００３０】
例えば、ＪＩＳＣ９３３５−２−２０９によると、規定の回路を用いて測定される出力電流の最小設定値が１ｍＡ以下でなければならず、１増加量当たりの出力増加量が１ｍＡ以下でなければならない。また、出力調整器が最小位置以外の状態で電源を入れたときは、出力できない構造でなければならない（すなわち、治療開始時は最小出力から開始しなければならない）という規定も存在する。
【００３１】
なお、国際規格であるＩＥＣ規格（ＩＥＣ６０６０１−２−１０）にも上記のＪＩＳ規格と類似の規定が存在する。差異点は、出力の最小設定値が、１ｍＡ以下ではなく、最大設定値の２％以下にするという点である。
【００３２】
典型的には、電気刺激強度の最大レベルに対応する最大電圧値は、電気治療器の性能等により予め定められている。また、上記規格に準拠する電気治療器では、ユーザは治療開始時には電気刺激強度を最小レベルから上昇させることにより、所望のレベルに調整する必要がある。そして、上述したように、従来の電気治療器では、１操作あたりの電気刺激強度の増加量が最小レベルから最大レベルまで一定であるため、所望のレベルに到達させるまでの操作が煩雑となる。
【００３３】
そこで、本実施の形態に従う電気治療器２００では、電気刺激強度が所定レベルに到達するまでは、１操作量当たりの出力変化量を所定の規格を満たす範囲内でできるだけ大きくし、所定レベルに到達した後は１操作量当たりの出力変化量を小さくする。また、典型的には、電気刺激強度の最大レベルに対応する最大出力値は、電気治療器の性能等により制限される。そのため、電気治療器２００では、低刺激レベルの領域での１操作量あたりの出力変化量を大きくすることで、高刺激レベルの領域での１操作量あたりの出力変化量を小さくすることになる。
【００３４】
例えば、操作部３０２が電気刺激強度のレベルを１段階ずつ上げていく操作をユーザから受け付けた場合を想定する。この場合、電圧制御部３０４は、電気刺激強度が所定レベル（例えば、レベル「７」）に到達するまでは一対のパッド２７０の印加電圧（例えば、印加電圧の振幅値）を１操作（例えば、１レベル上げる操作）あたり電圧値Ｖａだけ増加させ、所定レベルに到達した後（例えば、レベル「７」に到達後）は一対のパッド２７０の印加電圧を１操作あたり電圧値Ｖｂ（ただし、Ｖｂ＜Ｖａ）だけ増加させる。
【００３５】
これにより、利用頻度が低く、刺激を比較的感じにくい低刺激レベルの領域では１操作当たりの電圧増加量が大きい（すなわち、電気刺激強度の増加量が大きい）ため、刺激を感じる電気刺激強度に到達するまでの操作回数が少なくなり煩わしさが低減する。一方、利用頻度が高く、刺激を感じる高刺激レベルの領域では１操作当たりの電圧増加量が小さいため、ユーザの好みに応じた微妙な刺激強度の調整が可能となる。
【００３６】
このように、電気治療器２００によると、電気刺激強度を変化させる操作を行なう際のユーザの利便性を向上させることが可能となる。
【００３７】
［構成例］
＜実施の形態１＞
（外観）
図２は、実施の形態１に従う電気治療器２００の外観の一例を示す図である。図２を参照して、電気治療器２００は、制御機器２０５と、一対のパッド２７０と、制御機器２０５とパッド２７０とを電気的に接続するためのコード２８０とを含む。
【００３８】
コード２８０のプラグ２８２とパッド２７０側のプラグとを接続し、コード２８０を制御機器２０５のジャックに差し込むことにより、制御機器２０５とパッド２７０とが接続される。なお、一方のパッド２７０に形成されている電極の極性がプラスの場合、他方のパッド２７０に形成されている電極の極性はマイナスとなる。
【００３９】
制御機器２０５には、各種ボタンで構成される操作インターフェイス２３０と、ディスプレイ２６０とが設けられている。操作インターフェイス２３０は、電源のオン／オフを切り替えるための電源ボタン２３２、治療モードの選択を行うためのモード選択ボタン２３４と、治療開始ボタン２３６と、電気刺激強度の調整を行うための調整ボタン２３８とを含む。なお、操作インターフェイス２３０は、上記構成に限られず、例えば、その他のボタン、ダイヤルやスイッチ等をさらに含む構成であってもよい。
【００４０】
ディスプレイ２６０には、電気刺激強度、治療の残り時間、治療モード、パッド２７０の装着状態等が表示されたり、各種メッセージが表示されたりする。
【００４１】
（ハードウェア構成）
図３は、実施の形態１に従う電気治療器２００のハードウェア構成の一例を表わすブロック図である。図３を参照して、電気治療器２００の制御機器２０５は、プロセッサ２１０と、メモリ２２０と、操作インターフェイス２３０と、電源部２４０と、波形生成出力装置２５０と、ディスプレイ２６０とを含む。制御機器２０５は、一対のパッド２７０に接続される。
【００４２】
プロセッサ２１０は、典型的には、ＣＰＵ（Central  Processing  Unit）やＭＰＵ（Multi  Processing  Unit）といった演算処理部である。プロセッサ２１０は、メモリ２２０に記憶されたプログラムを読み出して実行することで、電気治療器２００の各部の動作を制御する制御部として機能する。プロセッサ２１０は、当該プログラムを実行することによって、後述する電気治療器２００の処理（ステップ）の各々を実現する。
【００４３】
メモリ２２０は、ＲＡＭ（Random  Access  Memory）、ＲＯＭ（Read-Only  Memory）、フラッシュメモリなどによって実現される。メモリ２２０は、プロセッサ２１０によって実行されるプログラム、またはプロセッサ２１０によって用いられるデータなどを記憶する。
【００４４】
操作インターフェイス２３０は、電気治療器２００に対する操作入力を受け付け、上述したような各種ボタンより構成される。ユーザによって、各種ボタンが操作されると、当該操作による信号がプロセッサ２１０に入力される。
【００４５】
電源部２４０は、電気治療器２００の各構成要素に電力を供給する。電源としては、例えば、アルカリ乾電池、または、リチウムイオン電池やニッケル水素電池などの二次電池が用いられ、電池電圧を安定化して各構成要素に供給する駆動電圧を生成する。
【００４６】
波形生成出力装置２５０は、パッド２７０を介してユーザの身体の治療部位に流れる電流（以下、「治療電流」とも称する。）を出力する。波形生成出力装置２５０は、昇圧回路、電圧調整回路、出力回路、電流検出回路等を含む。
【００４７】
昇圧回路は、電源電圧を所定の電圧に昇圧する。電圧調整回路は、昇圧回路により昇圧された電圧を、ユーザにより設定された電気刺激強度に対応する電圧に調整する。具体的には、電気治療器２００では、調整ボタン２３８により所定数のレベル（例えば、２０レベル）で、電気刺激強度の調整が設定可能である。例えば、電源ボタン２３２を選択して電気治療器２００の電源をＯＮにした後、調整ボタン２３８を１回押下すると電気刺激強度がレベル「１」に設定される。
【００４８】
典型的には、プロセッサ２１０は、調整ボタン２３８における増加ボタンを１回押下する操作（増加操作）に応じて電気刺激強度のレベルを１段階上げ、調整ボタン２３８における減少ボタンを１回押下する操作（減少操作）に応じて電気刺激強度のレベルを１段階下げる制御を実行する。なお、プロセッサ２１０は、増加ボタンの長押し操作（例えば、１秒以上押す操作）が継続している期間においてレベルを１段階ずつ上げてもよいし、減少ボタンの長押し操作が継続している期間においてレベルを１段階ずつ下げてもよい。
【００４９】
プロセッサ２１０は、調整ボタン２３８を介して電気刺激強度の設定入力を受け付け、当該受け付けた電気刺激強度に対応する電圧に調整するように波形生成出力装置２５０（電圧調整回路）に指示する。
【００５０】
出力回路は、電圧調整回路により調整された電圧に基づいて、治療モードに応じた治療波形（パルス波形）を生成し、当該治療波形をコード２８０を介してパッド２７０（の電極）に出力する。具体的には、操作インターフェイス２３０を介して、ユーザにより、治療モードの切替、電気刺激強度の変更等の操作が行われると、その操作内容に応じた制御信号がプロセッサ２１０から出力回路に入力される。出力回路は、当該制御信号に従う治療波形を出力する。
【００５１】
ここで、電気治療器２００には、複数の治療モードが予め用意されている。例えば、治療モードとしては、「もみ」、「たたき」、「押し」モード等が挙げられる。
【００５２】
出力回路は、パルスの波形（パルス幅、パルス間隔、周波数、出力極性を含む）等を変化させることにより、「もみ」、「たたき」、「押し」といった様々なモードに対応する電気刺激を生成できる。本実施の形態では、出力回路は、パルス電圧の振幅を変化させることにより、電気刺激強度を調整する。なお、出力回路は、パルス幅を変化させることにより電気刺激強度を調整する構成であってもよい。例えば、出力回路は、パルス幅を大きくすることで電気刺激強度を大きくし、パルス幅を小さくすることで電気刺激強度を小さくする。具体的なパルス電圧波形については、公知の波形を利用することができる。
【００５３】
電流検出回路は、一対のパッド２７０間に流れる電流の値を検出し、当該検出された値を示す信号をプロセッサ２１０に入力する。プロセッサ２１０は、電流検出回路から入力される電流値を利用して、パッド２７０がユーザに装着されている状態なのか、パッド２７０がユーザに装着されていない状態なのかを検出できる。例えば、プロセッサ２１０は、当該電流値が所定値以上である場合には複数の電極が接触されている（すなわち、一対のパッド２７０がユーザに装着されている）と判定し、当該電流値が所定値未満である場合には複数の電極のうちの少なくとも一方が接触していない（すなわち、一対のパッド２７０のうちの少なくとも一方がユーザに装着されていない）と判定する。
【００５４】
ディスプレイ２６０は、例えば、ＬＣＤ（liquid  crystal  display）で構成されており、プロセッサ２１０からの指示に従って各種情報を表示する。
【００５５】
（電気刺激強度の増減方式）
図４は、実施の形態１に従う電気治療器２００による電気刺激強度の増減方式の一例を示す図である。ここでは、２０段階で電気刺激強度を設定可能であり、最大強度がレベル「２０」であり最小強度がレベル「１」である場合を想定する。電圧値「Ｖ０」は０Ｖであるとする。このとき、電気治療器２００は治療開始前の待機状態である。図４の横軸はレベルを示しており、縦軸は、制御機器２０５から一対のパッド２７０間への印加電圧の電圧値（より詳細には、印加電圧の振幅値）を示している。
【００５６】
図４を参照して、電気治療器２００は、グラフ７１０〜７３０に示すように、電気刺激強度のレベルに応じて電圧値を変化させる。グラフ７１０の場合、上述した所定レベルが「７」に設定されている。この場合、電気治療器２００は、電気刺激強度がレベル「７」に到達するまで（すなわち、電圧値Ｖ２に対応する点Ｐ１に到達するまで）は、１レベル当たり（すなわち、１操作当たり）変化量Ｃｓで電圧値を変化させる。また、電気治療器２００は、電気刺激強度がレベル「７」に到達した後は、１レベル当たり変化量Ｃ１（ただし、Ｃ１＜Ｃｓ）で電圧値を変化させる。
【００５７】
例えば、変化量Ｃｓは、設計マージン等を考慮して、上述した低周波治療器に関する所定の規格で定められている１操作当たりの最大出力増加量（例えば、１ｍＡ）の０．７倍程度の出力増加量となるように設定される。すなわち、１操作当たり出力電流が約０．７ｍＡ変化するように変化量Ｃｓが設定される。変化量Ｃ１は、電圧値Ｖｓから電圧値Ｖ２を減算した電圧値（Ｖｓ−Ｖ２）を、最大レベル「２０」とレベル「７」との差分レベル「１３」で除算した値となる。
【００５８】
グラフ７２０の場合、上述した所定レベルが「５」に設定されている。この場合、電気治療器２００は、電気刺激強度がレベル「５」に到達するまで（すなわち、電圧値Ｖ１に対応する点Ｐ２に到達するまで）は、１レベル当たり変化量Ｃｓで電圧値を変化させ、電気刺激強度がレベル「５」に到達した後は、１レベル当たり変化量Ｃ２（ただし、Ｃ２＜Ｃｓ）で電圧値を変化させる。
【００５９】
変化量Ｃ２は、電圧値Ｖｓから電圧値Ｖ１を減算した電圧値（Ｖｓ−Ｖ１）を、最大レベル「２０」とレベル「５」との差分レベル「１５」で除算した値となる。なお、変化量Ｃ２は、変化量Ｃ１よりも大きい。
【００６０】
グラフ７３０の場合、上述した所定レベルが「１０」に設定されている。この場合、電気治療器２００は、電気刺激強度がレベル「１０」に到達するまで（すなわち、電圧値Ｖ３に対応する点Ｐ３に到達するまで）は、１レベル当たり変化量Ｃｓで電圧値を変化させ、電気刺激強度がレベル「１０」に到達した後は、１レベル当たり変化量Ｃ３（ただし、Ｃ３＜Ｃｓ）で電圧値を変化させる。
【００６１】
変化量Ｃ３は、電圧値Ｖｓから電圧値Ｖ３を減算した電圧値（Ｖｓ−Ｖ３）を、最大レベル「２０」とレベル「１０」との差分レベル「１０」で除算した値となる。なお、変化量Ｃ３は、変化量Ｃ１，Ｃ２よりも小さい。
【００６２】
上記のように、グラフ７１０〜７３０のいずれにおいても、所定レベルに到達するまでの変化量Ｃｓは、所定レベルに到達した後の変化量Ｃ１〜Ｃ３よりも大きい。そのため、ユーザは、少ない操作回数で、電気刺激強度を刺激が比較的強い刺激強度へ変化させることができる。
【００６３】
また、利用頻度の高い領域に応じて、グラフ７１０〜７３０のいずれかを採用することができる。例えば、低刺激強度および中刺激強度の領域の利用頻度が少なく、高刺激強度の領域の利用頻度が多いユーザの場合には、所定レベルを「１０」に設定すればよい。これにより、レベル「１０」〜「２０」までの領域において電気刺激強度のより細かな調整が可能となる。また、例えば、低刺激強度の領域の利用頻度が多いユーザの場合には、所定レベルを「５」に設定すればよい。これにより、低刺激強度の領域において細かな電気刺激強度の調整が可能となる。
【００６４】
図５は、実施の形態１に従う電気治療器２００による電気刺激強度の増減方式の他の例を示す図である。図５においても、最大強度がレベル「２０」であり最小強度がレベル「１」である場合を想定し、電圧値「Ｖ０」は０Ｖであるとする。図５の横軸はレベルを示しており、縦軸は一対のパッド２７０間への印加電圧の電圧値を示している。
【００６５】
図５を参照して、電気治療器２００は、グラフ７４０〜７６０に示すように、電気刺激強度のレベルに応じて電圧値を変化させる。図５において、所定レベルに到達するまで変化量Ｃｓで電圧値を変化させる点は、図４に示す増減方式と同様である。
【００６６】
図５の例では、グラフ７４０〜７６０のいずれにおいても、電気刺激強度が所定レベルに到達した後の変化量はＣｔ（ただし、Ｃｔ＜Ｃｓ）であり同一である。具体的には、グラフ７４０の場合には、電気刺激強度が所定レベルに到達した後は、変化量Ｃｔで変化していき、最大レベル「２０」において、電圧値Ｖ５に対応する点Ｐｓ１に到達する。同様に、グラフ７５０の場合には、最大レベル「２０」において電圧値Ｖ４に対応する点Ｐｓ２に到達し、グラフ７６０の場合には、最大レベル「２０」において電圧値Ｖｓに対応する点Ｐｓ３に到達する。
【００６７】
このように、グラフ７４０〜７６０のいずれにおいても、電気刺激強度が所定レベルに到達する前の変化量Ｃｓは、所定レベルに到達した後の変化量Ｃｔよりも大きい。そのため、ユーザは、少ない操作回数で、電気刺激強度を刺激が比較的強い刺激強度へ変化させることができる。
【００６８】
また、利用頻度の高い領域に応じて、グラフ７４０〜７６０のいずれかを採用することができる。例えば、高刺激強度の領域の利用頻度が多いユーザの場合には、所定レベルを「１０」に設定することにより、レベル「１０」〜「２０」までの領域において電気刺激強度の細かな調整が可能となる。また、最大レベルに対応する電圧値が大きいため、より強い刺激を受けることが可能となる。一方、例えば、低刺激強度の領域の利用頻度が多いユーザの場合には、所定レベルを「５」に設定することにより、低刺激強度の領域において細かな電気刺激強度の調整が可能となる。
【００６９】
（機能構成）
図６は、実施の形態１に従う電気治療器２００の機能構成の一例を示すブロック図である。図６を参照して、電気治療器２００は、操作部３０２と、電圧制御部３０４と、設定部３０６とを含む。
【００７０】
操作部３０２は、ユーザの身体の部位に接触される複数の電極（すなわち、一対のパッド２７０）を介して、当該部位に与えられる電気刺激強度を調整するための操作を受け付ける。典型的には、操作部３０２は、プロセッサ２１０および操作インターフェイス２３０により実現される。
【００７１】
電圧制御部３０４は、電気刺激強度の調整操作に応じて、複数の電極への印加電圧を離散的に変化させることにより身体の部位の治療を行なう。具体的には、電圧制御部３０４は、電気刺激強度が所定刺激強度（すなわち、所定レベルに対応する電気刺激強度）に到達するまでは、電気刺激強度の調整操作に応じて当該印加電圧を変化量Ｃｓで変化させる。また、電圧制御部３０４は、電気刺激強度が所定刺激強度に到達した後は当該調整操作に応じて当該印加電圧を変化量Ｃｓよりも小さい変化量Ｃｕ（例えば、変化量Ｃ１〜Ｃ３，Ｃｔのいずれか）で変化させる。
【００７２】
例えば、電圧制御部３０４は、電気刺激強度が所定刺激強度に到達するまでは、電気刺激強度を１段階上げる操作に応じて印加電圧を変化量Ｃｓだけ増加させ、所定刺激強度に到達した後は当該操作に応じて印加電圧を変化量Ｃｕだけ増加させる。
【００７３】
ある局面では、電圧制御部３０４は、電気刺激強度の最大強度に対応する印加電圧の電圧値と、所定刺激強度に対応する印加電圧の電圧値とに基づいて、変化量Ｃ１〜Ｃ３を算出する。具体的には、変化量Ｃ１〜Ｃ３の算出方式は上述した通りである。
【００７４】
設定部３０６は、所定刺激強度を設定する。操作部３０２は、ユーザから所定刺激強度の設定指示を受け付ける。設定部３０６は、当該設定指示に従って所定刺激強度を設定する。例えば、設定指示は、所定刺激強度に対応するレベル（すなわち、所定レベル）を指定する指示である。
【００７５】
あるいは、操作部３０２は、ユーザから、低刺激強度の領域、中刺激強度の領域および高刺激強度の領域のうちの最も利用頻度が高い領域の選択指示を受け付ける。設定部３０６は、当該選択指示に基づいて所定刺激強度を設定する。例えば、設定部３０６は、中刺激強度の領域の選択指示を受け付けた場合には標準の所定刺激強度を設定し（例えば、所定レベル「７」）、低刺激強度の領域の選択指示を受け付けた場合には標準よりも小さい所定刺激強度（例えば、所定レベル「５」）を設定し、高刺激強度の領域の選択指示を受け付けた場合には標準よりも大きい所定刺激強度（例えば、所定レベル「１０」）を設定する。
【００７６】
（処理手順）
図７は、実施の形態１に従う電気治療器２００の処理手順の一例を示すフローチャートである。図７中の各ステップは、主に、電気治療器２００のプロセッサ２１０により実行される。ここでは、電気治療器２００は、図４中のグラフ７１０に従って、電圧値を変化させるものとする。
【００７７】
図７を参照して、電気治療器２００は、操作インターフェイス２３０を介して、電気刺激強度の調整操作を受け付ける（ステップＳ１０）。電気治療器２００は、受け付けた調整操作が電気刺激強度を増加させるための増加操作か否かを判断する（ステップＳ１２）。増加操作ではない（すなわち、減少操作）である場合には（ステップＳ１２においてＮＯ）、電気治療器２００は後述するステップＳ２２の処理を実行する。
【００７８】
増加操作である場合には（ステップＳ１２においてＹＥＳ）、電気治療器２００は、電気刺激強度の現在のレベルが所定レベル未満であるか否かを判断する（ステップＳ１４）。現在のレベルが所定レベル未満である場合（ステップＳ１４においてＹＥＳ）、電気治療器２００は、一対のパッド２７０への印加電圧を変化量Ｃｓだけ増加して（ステップＳ１６）、処理を終了する。
【００７９】
現在のレベルが所定レベル以上である場合（ステップＳ１４においてＮＯ）、電気治療器２００は、現在のレベルが最大レベルであるか否かを判断する（ステップＳ１８）。現在のレベルが最大レベルである場合には（ステップＳ１８においてＹＥＳ）、電気治療器２００は処理を終了する。すなわち、印加電圧は増加されることなく維持される。
【００８０】
一方、現在のレベルが最大レベルではない場合には（ステップＳ１８においてＮＯ）、電気治療器２００は、印加電圧を変化量Ｃ１だけ増加して（ステップＳ２０）、処理を終了する。
【００８１】
次に、減少操作を受け付けた場合の処理について説明する。電気治療器２００は、減少操作を受け付けた場合には（ステップＳ１２においてＮＯ）、電気刺激強度の現在のレベルが所定レベル以下であるか否かを判断する（ステップＳ２２）。現在のレベルが所定レベルよりも大きい場合（ステップＳ２２においてＮＯ）、電気治療器２００は、印加電圧を変化量Ｃ１だけ減少して（ステップＳ２４）、処理を終了する。
【００８２】
現在のレベルが所定レベル以下である場合（ステップＳ２２においてＹＥＳ）、電気治療器２００は、現在のレベルが最小レベルであるか否かを判断する（ステップＳ２６）。現在のレベルが最小レベルである場合には（ステップＳ２６においてＹＥＳ）、電気治療器２００は処理を終了する。すなわち、印加電圧は減少されることなく維持される。
【００８３】
一方、現在のレベルが最小レベルではない場合には（ステップＳ２６においてＮＯ）、電気治療器２００は、印加電圧を変化量Ｃｓだけ減少して（ステップＳ２８）、処理を終了する。
【００８４】
＜実施の形態２＞
（システム構成）
実施の形態１では、電気治療器単体でユーザの治療を行なう構成について説明した。実施の形態２では、端末装置および電気治療器が無線接続されており、端末装置からの指示に従って電気治療器が治療を行なう構成について説明する。なお、端末装置は、主に、実施の形態１における電気治療器２００の操作インターフェイス２３０およびディスプレイ２６０としての役割を担う。
【００８５】
図８は、実施の形態２に従う治療システム１の概略的な構成を示す図である。図８を参照して、治療システム１は、ユーザ端末である端末装置１０と、電気治療器２０Ａ，２０Ｂと、ネットワーク３０とを含む。以下では、電気治療器２０Ａ，２０Ｂの各々に共通の構成や機能を説明する際には、それらを「電気治療器２０」と総称する。
【００８６】
電気治療器２０は、コードレスタイプであり、使用時に一体とされるパッド、ホルダ、本体部を有し、これら各部を組み合わせて治療を行なう。電気治療器２０の具体的な構成については後述する。
【００８７】
端末装置１０は、例えば、タッチパネルを備えるスマートフォンである。以下では、スマートフォンを「端末装置」の代表例として説明を行なう。ただし、端末装置は、折り畳み式携帯電話、タブレット端末装置、ＰＣ（personal  computer）等のような他の端末装置であってもよい。
【００８８】
端末装置１０と電気治療器２０とを接続するためのネットワーク３０は、近距離無線通信方式を採用しており、典型的には、ＢＬＥ（Bluetooth（登録商標）  low  energy）が採用される。そのため、端末装置１０および電気治療器２０は、ＢＬＥを用いて無線通信を行なう機能を有するＢＬＥデバイスである。ただし、ネットワーク３０は、これに限られず、Ｂｌｕｅｔｏｏｔｈ（登録商標）、無線ＬＡＮ（local  area  network）等のその他の無線通信方式を採用してもよい。
【００８９】
実施の形態２に従う治療システム１では、端末装置１０は、インストールされているアプリケーションを利用して、ペアリング接続された電気治療器２０Ａ，２０Ｂに各種指示を行なう。また、端末装置１０は、各種情報をディスプレイ１５８に表示して、必要な情報をユーザに報知する。例えば、端末装置１０は、電気治療器２０から受信した情報をディスプレイ１５８に表示してもよい。
【００９０】
（電気治療器２０の構成）
図９は、実施の形態２に従う電気治療器２０の構成の一例を示す斜視図である。図１０は、実施の形態２に従う電気治療器２０に備えられる本体部４をホルダ３およびパッド２から分離した状態を示す斜視図である。
【００９１】
図９および図１０を参照して、電気治療器２０は、いわゆるコードレスタイプの低周波治療器であり、パッド２、ホルダ３、本体部４を備える。
【００９２】
パッド２は、シート状の形状を有し、ユーザの身体に取り付けられる。パッド２の外表面のうち、身体に対向する身体側部２１の表面（下面）には、導電層２ａが設けられる。パッド２は、導電性のゲル等を使用してユーザの皮膚上に貼り付けられ、導電層２ａを通してユーザに低周波パルス電流が供給される。
【００９３】
図１０を参照して、パッド２は、取付部２Ｘおよび治療部２Ｙを有する。取付部２Ｘは、ホルダ３によって保持される。取付部２Ｘには、窓部２３および貫通孔２Ｈが設けられている。窓部２３の内側には、ホルダ３の位置決め突起３１２が配置される。貫通孔２Ｈには、ホルダ３のインターロックピン３３が挿通される。治療部２Ｙは、取付部２Ｘの左右両外側に設けられ、治療部２Ｙの身体側部２１には導電層２ａが露出している。
【００９４】
導電層２ａは、取付部２Ｘにおける本体部４に対向する表面にも露出しており、この露出部分がパッド側電極部２２を構成する。パッド側電極部２２は、本体部側電極部４３との電気的接続のために形成されており、取付部２Ｘの一端に、一方の電極部（たとえば＋極）に対応した導電層２ａが露出しており、取付部２Ｘの他端に、他方の電極部（たとえば−極）に対応した導電層２ａが露出している。
【００９５】
図１０を参照して、ホルダ３は、板状の形状を有するパッド保持部３１と、パッド保持部３１の両端から起立する一対の壁部３２とを備える。パッド保持部３１の上面３１１に、パッド２の取付部２Ｘが配置される。上面３１１と取付部２Ｘとの間には、必要に応じて、両面粘着テープ、のり、接着剤などが配置される。
【００９６】
パッド保持部３１には、位置決め突起３１２が設けられている。パッド２に設けられた窓部２３の内周縁を位置決め突起３１２に合わせることで、ホルダ３に対してパッド２が位置決めされる。パッド保持部３１の中央には、インターロックピン３３も設けられる。パッド２をホルダ３に取り付ける際、インターロックピン３３は貫通孔２Ｈの中に挿通される。
【００９７】
図９および図１０を参照して、本体部４は、略直方体の形状を有するケース４ａを外装体として含んでいる。ケース４ａとホルダ３との間には、誘導係合部５（図９）が形成されており、本体部４（ケース４ａ）は、ホルダ３に着脱可能に取り付けられる。誘導係合部５は、ケース４ａの側面４１に形成された突起５１（図１０）と、ホルダ３の壁部３２に形成された溝部５２（図１０）とから構成される。
【００９８】
図１０を参照して、溝部５２は、縦溝部５２１と横溝部５２２とを含む。縦溝部５２１は、縦方向に形成され上方が開口している。横溝部５２２は、横方向に形成され、両端が開口している。突起５１および溝部５２は、本体部４をホルダ３に取り付ける際には、両者が正対する方向に両者が接近移動して係合に至る。ホルダ３に対して本体部４を回転移動させることで両者の係合が解除され、本体部４をホルダ３から取り外すことができる。
【００９９】
本体部４は、ホルダ３に取り付けられた状態で、パッド２の導電層２ａに低周波パルス電流を供給する。具体的には、本体部４は、一対の本体部側電極部４３、基板（図示しない）、電気回路（図示しない）、および、インターロック機構（図示しない）を備える。電気回路は、各種の制御機器を含み、基板の表面上に実装されている。
【０１００】
制御機器は、各種処理を実行するためのプロセッサ、プログラムやデータなどを格納するためのメモリ、端末装置１０と各種データを無線通信するための通信インターフェイス、電源電圧の昇圧、低周波パルス電流（治療電流）の生成および出力等を行なうための波形生成出力装置等を含む。
【０１０１】
基板、電気回路、インターロック機構は、本体部４（ケース４ａ）内部に設けられる。本体部４（ケース４ａ）内部には、電池等の電源（図示しない）も設けられる。ケース４ａの外部には、スイッチ４８Ｓ、ＬＥＤ（light  emitting  diode）等の表示部（図示しない）、およびボタン（図示しない）等が設けられる。
【０１０２】
本体部４がホルダ３に取り付けられた状態では、本体部側電極部４３の先端部がパッド側電極部２２に当接する。これにより、本体部側電極部４３とパッド側電極部２２とが導通し、電気回路はパッド側電極部２２に低周波パルス電流を供給可能となる。
【０１０３】
（端末装置１０の構成）
図１１は、実施の形態２に従う端末装置１０のハードウェア構成の一例を表わすブロック図である。図１１を参照して、端末装置１０は、主たる構成要素として、プロセッサ１５２と、メモリ１５４と、入力装置１５６と、ディスプレイ１５８と、無線通信部１６０と、メモリインターフェイス（Ｉ／Ｆ）１６４と、通信インターフェイス（Ｉ／Ｆ）１６６と、スピーカ１６８と、マイク１７０とを含む。
【０１０４】
プロセッサ１５２は、典型的には、ＣＰＵやＭＰＵといった演算処理部である。メモリ１５４は、ＲＡＭ、ＲＯＭ、フラッシュメモリなどによって実現される。
【０１０５】
入力装置１５６は、端末装置１０に対する操作入力を受け付ける。典型的には、入力装置１５６は、タッチパネルによって実現される。タッチパネルは、表示部としての機能を有するディスプレイ１５８上に設けられており、例えば、静電容量方式タイプである。ただし、入力装置１５６は、ボタンなどを含んでいてもよい。
【０１０６】
無線通信部１６０は、通信アンテナ１６２を介して移動体通信網に接続し無線通信のための信号を送受信する。これにより、端末装置１０は、たとえば、ＬＴＥ（Long  Term  Evolution）などの移動体通信網を介して他の通信装置との通信が可能となる。
【０１０７】
プロセッサ１５２は、メモリインターフェイス１６４を介して記憶媒体１６５に格納されているデータを読み出して、当該データをメモリ１５４に格納する。プロセッサ１５２は、メモリ１５４からデータを読み出して、メモリインターフェイス１６４を介して当該データを外部の記憶媒体１６５に格納する。
【０１０８】
記憶媒体１６５は、ＣＤ（Compact  Disc）、ＤＶＤ（Digital  Versatile  Disk）、ＢＤ（Blu-ray（登録商標）  Disc）、ＵＳＢ（Universal  Serial  Bus）メモリ、ＳＤ（Secure  Digital）メモリカードなどの不揮発的にプログラムを格納する媒体を含む。
【０１０９】
通信インターフェイス（Ｉ／Ｆ）１６６は、端末装置１０と電気治療器２０との間で各種データをやり取りするための通信インターフェイスであり、アダプタやコネクタなどによって実現される。通信方式としては、例えば、ＢＬＥ、無線ＬＡＮなどによる無線通信方式が採用される。
【０１１０】
スピーカ１６８は、プロセッサ１５２から与えられる音声信号を音声に変換して端末装置１０の外部へ出力する。マイク１７０は、端末装置１０に対する音声入力を受け付けて、当該音声入力に対応する音声信号をプロセッサ１５２に与える。
【０１１１】
（機能構成）
電気治療器２０は、図６に示した電気治療器２００の構成のうち、電圧制御部３０４および設定部３０６と同様の構成を有する。これらの各構成は、電気治療器２０の本体部４に含まれる制御機器により実現される。また、図６に示す操作部３０２は、端末装置１０のプロセッサ１５２により実現される。
【０１１２】
実施の形態１では、ユーザは、操作インターフェイス２３０を介して、電気治療器２００に各種指示を与えていた。実施の形態２では、ユーザは、入力装置１５６を介して端末装置１０に各種指示を与え、当該指示が端末装置１０から電気治療器２０に送信されることにより、間接的に電気治療器２０に当該各種指示を与える。すなわち、電気治療器２０は、端末装置１０を介して、ユーザからの指示入力を受け付ける。より具体的には、電気治療器２０は、通信インターフェイスを介して、端末装置１０から送信される、ユーザからの指示入力を受信する。例えば、端末装置１０は、電気刺激強度を調整するための操作を受け付け、当該操作を示す信号を電気治療器２０に送信する。電気治療器２０は、当該信号に対応する操作に応じて、電気刺激強度のレベルを調整する。
【０１１３】
また、実施の形態１では、プラス極性の一方のパッド２７０の電極と、マイナス極性の他方のパッド２７０の電極との間に電圧を印加することにより、治療部位に治療電流を流す構成であった。実施の形態２では、１つのパッド２に、プラス極性およびマイナス極性にそれぞれ対応する２つの電極部が形成されているため、これら電極間にパルス電圧波形を印加することにより、治療部位に治療電流を流す構成となる。
【０１１４】
また、実施の形態１において電気治療器２００が上述した処理を実行するためにメモリ２２０に記憶されている各種情報は、典型的には、電気治療器２０のメモリに記憶される。ただし、一部の情報を端末装置１０のメモリ１５４に記憶する構成であってもよい。また、電気治療器２０は、ユーザに報知するために必要な情報、端末装置１０に記憶させるための情報等を端末装置１０に送信するように構成されている。
【０１１５】
＜その他の実施の形態＞
（１）上述した実施の形態１では、一対のパッド２７０を用いる構成について説明したが、当該構成に限られず、１つのパッドにプラス極性用の電極と、マイナス極性用の電極とを形成するように構成されていてもよい。
【０１１６】
（２）上述した実施の形態において、コンピュータを機能させて、上述のフローチャートで説明したような制御を実行させるプログラムを提供することもできる。このようなプログラムは、コンピュータに付属するフレキシブルディスク、ＣＤ（Compact  Disk  Read  Only  Memory）、二次記憶装置、主記憶装置およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１１７】
（３）上述の実施の形態として例示した構成は、本発明の構成の一例であり、別の公知の技術と組み合わせることも可能であるし、本発明の要旨を逸脱しない範囲で、一部を省略する等、変更して構成することも可能である。また、上述した実施の形態において、その他の実施の形態で説明した処理や構成を適宜採用して実施する場合であってもよい。
【０１１８】
［付記］
以上のように、本実施形態は以下のような開示を含む。
【０１１９】
［構成１］
ユーザの身体の部位に接触される複数の電極と、
前記部位に与えられる電気刺激強度を調整するための操作を受け付ける操作部（３０２）と、
前記操作に応じて、前記複数の電極への印加電圧を離散的に変化させることにより前記部位の治療を行なう電圧制御部（３０４）とを備え、
前記電圧制御部（３０４）は、
前記電気刺激強度が所定刺激強度に到達するまでは前記操作に応じて前記印加電圧を第１変化量で変化させ、
前記電気刺激強度が前記所定刺激強度に到達した後は前記操作に応じて前記印加電圧を前記第１変化量よりも小さい第２変化量で変化させる、電気治療器（２００）。
【０１２０】
［構成２］
前記電圧制御部（３０４）は、
前記電気刺激強度が前記所定刺激強度に到達するまでは、前記電気刺激強度を１段階上げる操作に応じて、前記印加電圧を前記第１変化量だけ増加させ、
前記電気刺激強度が前記所定刺激強度に到達した後は、前記電気刺激強度を１段階上げる操作に応じて、前記印加電圧を前記第２変化量だけ増加させる、構成１に記載の電気治療器（２００）。
【０１２１】
［構成３］
前記所定刺激強度を設定するための設定部（３０６）をさらに備える、構成１または２に記載の電気治療器（２００）。
【０１２２】
［構成４］
前記電圧制御部（３０４）は、前記電気刺激強度の最大強度に対応する前記印加電圧の電圧値と、前記所定刺激強度に対応する前記印加電圧の電圧値とに基づいて、前記第２変化量を算出する、構成１〜３のいずれか１項に記載の電気治療器（２００）。
【０１２３】
［構成５］
前記電気治療器（２００）は、低周波治療器である、構成１〜４のいずれか１項に記載の電気治療器（２００）。
【０１２４】
［構成６］
前記第１変化量は、前記低周波治療器に関する所定の規格に準拠するように設定される、構成５に記載の電気治療器（２００）。
【０１２５】
［構成７］
ユーザの身体の部位に接触される複数の電極を有する電気治療器（２０）と、
前記電気治療器（２０）と無線通信可能に構成された端末装置（１０）とを備え、
前記端末装置（１０）は、前記部位に与えられる電気刺激強度を調整するための操作を受け付け、前記操作を示す信号を前記電気治療器（２０）に送信し、
前記電気治療器（２０）は、
前記操作に応じて、前記複数の電極への印加電圧を離散的に変化させることにより前記部位の治療を行なう電圧制御部（３０４）を含み、
前記電圧制御部（３０４）は、
前記電気刺激強度が所定刺激強度に到達するまでは前記操作に応じて前記印加電圧を第１変化量で変化させ、
前記電気刺激強度が前記所定刺激強度に到達した後は前記操作に応じて前記印加電圧を前記第１変化量よりも小さい第２変化量で変化させる、治療システム（１）。
【０１２６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１２７】
１  治療システム、２，２７０  パッド、２Ｈ  貫通孔、２Ｘ  取付部、２Ｙ  治療部、２ａ  導電層、３  ホルダ、４  本体部、４ａ  ケース、５  誘導係合部、１０  端末装置、２０，２００  電気治療器、２１  身体側部、２２  パッド側電極部、２３  窓部、３０  ネットワーク、３１  パッド保持部、３２  壁部、３３  インターロックピン、４０  サポータ、４３  本体部側電極部、４８Ｓ  スイッチ、５１  突起、５２  溝部、１５２，２１０  プロセッサ、１５４，２２０  メモリ、１５６  入力装置、１５８，２６０  ディスプレイ、１６０  無線通信部、１６２  通信アンテナ、１６４  メモリインターフェイス、１６５  記憶媒体、１６８  スピーカ、１７０  マイク、２０５  制御機器、２３０  操作インターフェイス、２３２  電源ボタン、２３４  モード選択ボタン、２３６  治療開始ボタン、２３８  調整ボタン、２４０  電源部、２５０  波形生成出力装置、２８０  コード、２８２  プラグ、３０２  操作部、３０４  電圧制御部、３０６  設定部、３１２  位置決め突起、５２１  縦溝部、５２２  横溝部。
【図１】
2019187505.tif 000003
【図２】
2019187505.tif 000004
【図３】
2019187505.tif 000005
【図４】
2019187505.tif 000006
【図５】
2019187505.tif 000007
【図６】
2019187505.tif 000008
【図７】
2019187505.tif 000009
【図８】
2019187505.tif 000010
【図９】
2019187505.tif 000011
【図１０】
2019187505.tif 000012
【図１１】
2019187505.tif 000013